(57)【特許請求の範囲】
【請求項１】
照準用補助具を含むゴルフクラブヘッドであって、前記照準用補助具が、照準用本体であってその上にその長手方向に延在する真っ直ぐな照準線を付けられているか形成されている照準用本体を含み、前記照準線が、その長さに沿って部分的に上昇段部または下降段部により中断され、前記照準線が、前記ゴルフクラブヘッドのボール打撃フェイスに平行に延び、かつ、前記ボール打撃フェイスに沿って位置し、使用中のユーザに見えている、ゴルフクラブヘッド。
【請求項２】
前記照準線が前記照準用本体および／もしくは前記照準用補助具の長さの大部分または全体に延在する、請求項１に記載のゴルフクラブヘッド。
【請求項３】
前記照準線がその長さに沿って部分的に下降段部により中断される、請求項１または２に記載のゴルフクラブヘッド。
【請求項４】
請求項１〜３のいずれか一項に記載のゴルフクラブヘッドを備えるゴルフクラブ。
【発明の詳細な説明】
【技術分野】
【０００１】
本発明は、改良されたスポーツ用品、より詳細には、改良されたスヌーカーキューならびに改良されたゴルフクラブヘッド（およびそのヘッドを組み込んでいるゴルフクラブ）、ならびにその使用に関する。
【背景技術】
【０００２】
特定のスポーツ、特に、スヌーカー、ゴルフ、ボウリング、ダーツおよびアーチェリーなどの標的指向型スポーツにおいては、個人が高い精度で直線に照準すること、ならびにそれを毅然として行う自制心および能力を有することが求められる。
【０００３】
最初の照準から、およびショットまたはストロークをプレーできる状態ができているとき、または実際にプレーしているとき、基本的かつ一般的に見られる問題の１つは、プレーヤーがプレーの正しい線を横切ってまたはそれに平行に照準する場合の視差である。この問題の共通の原因は、位置知覚において一方の眼が過大な影響を有する眼球優位性である。さらに、この眼球優位性のレベルは経時的に変化し得る。視差はまた、間違ったスタンス、誤ったテクニックの発達、認識および／または自制心の不足、間違った補正習慣、または下手なコーチングの実施の結果により引き起こされるかそれと組み合わされ得る。
【０００４】
自明なことであるが、コーチも他の人もプレーヤーの眼を通じて見ることはできず、したがって、コーチが視差を効果的に診断してその修正に関する助言を行うことは事実上不可能である。しかしながら、この問題は、極めて重要であり、彼／彼女のプレー能力を向上させて彼／彼女の潜在力を発揮させる個人の能力を著しく制限する。
【０００５】
英国特許である英国特許第２３１９９６８号明細書は、例えば、スヌーカー、ゴルフ（特にパッティング）、ボウリング、ダーツまたはアーチェリーなどの標的指向型スポーツでの使用に適切な照準用補助具について記載している。記載された照準用補助具は、コーチングまたはトレーニング環境における使用のための、例えば剛体の（適切には木製の）ボードの形の独立型デバイス（移動式または固定設備）である。例えば、ゴルフコーチングのために、この補助具は、競技台表面であって、そこからボールまたは目標とされる他の投射物が発射される競技台表面（例えば、好ましくは長さが少なくとも１メートルかつ幅が少なくとも３０センチメートルであり、好ましくは人工のパッティンググリーンオーバレイ材を備えるボード）としての使用に適し得る。スヌーカーまたはプール照準用補助具として使用するために、ボードの上面は、適切にはベーズまたは同様の材料で覆われている。独立型照準用補助具により、ユーザは、照準視差オフセットを知覚することができるだけでなく、ショット／ストロークの実施を開始して、生来の視差を自動的に補正するための適切な筋肉による記憶の発達を可能にすることができるようになる。
【発明の概要】
【発明が解決しようとする課題】
【０００６】
しかしながら、照準用補助具は、ユーザがトレーニングまたはコーチング環境にないとき、すなわち、スヌーカーのゲーム中またはゴルフのラウンドの「リアルタイム」において、ユーザにとって使用が限られているか使用できない。この問題に対する解決策を考案することが本発明の目的の１つである。
【課題を解決するための手段】
【０００７】
したがって、本発明者は、照準用補助具を含むスヌーカーキューまたはゴルフクラブヘッドであって、上記照準用補助具が、照準用本体であってその上にその長手方向に延在す
る真っ直ぐな照準線を付けられているか形成されている照準用本体を含み、この照準線が、その長さに沿って部分的に上昇段部または下降段部により中断され、上記照準線が、スヌーカーキューの長さまたはゴルフクラブヘッドのフェイスに平行に延び、使用中のユーザに見えている、スヌーカーキューまたはゴルフクラブヘッドを提供する。
【０００８】
好ましい実施形態において、照準線は、照準用本体および／もしくは照準用補助具の長さの大部分または全体に延在し、ならびに／またはその長さに沿って部分的に下降段部により中断される。
【０００９】
ゴルフクラブヘッドの好ましい実施形態において、照準線はヘッドのフェイスに実質的に沿って位置する。
【００１０】
本発明者はまた、上述のとおりのゴルフクラブヘッドを含むゴルフクラブと、キュースポーツにおいてショットまたはストロークを照準するための上述のとおりのスヌーカーキューの使用と、ゴルフでのショットのための準備をするための上述のとおりのゴルフクラブヘッド／ゴルフクラブの使用とを提供する。
【００１１】
本発明の範囲に含まれるのは、添付図面の任意の適切な組み合わせを参照しかつそれによって示され、実質的に本明細書において説明されるとおりの、スヌーカーキュー、ゴルフクラブもしくはゴルフクラブヘッドまたはその使用である。
【００１２】
本発明は添付図面を参照して説明される。
【図面の簡単な説明】
【００１３】
【図１】図１は、照準用補助具の標的側の端部から見た斜視図である。
【図２】図２は、照準用補助具の上方からの平面図である。
【図３】図３は、照準用補助具の側面図である。
【図４】図４は、照準用補助具の標的側の端部の端面図である。
【図５】図５は、本発明のスヌーカーキューの実施形態の平面図である。
【図６】図６および７は、同じキューのそれぞれ側面図および斜視図を示す。
【図７】図６および７は、同じキューのそれぞれ側面図および斜視図を示す。
【図８】図８は、本発明のゴルフクラブヘッドの実施形態の平面図である。
【図９】図９および１０は、同じクラブヘッドのそれぞれ正面図および斜視図を示す。
【図１０】図９および１０は、同じクラブヘッドのそれぞれ正面図および斜視図を示す。
【発明を実施するための形態】
【００１４】
本発明者は、照準用補助具を含むスヌーカーキューまたはゴルフクラブヘッドであって、上記照準用補助具が、照準用本体であってその上にその長手方向に延在する真っ直ぐな照準線を付けられているか形成されている照準用本体を含み、この照準線がその長さに沿って部分的に上昇段部または（好ましくは）下降段部により中断され、上記照準線がスヌーカーキューの長さまたはゴルフクラブヘッドのフェイスに（実質的にまたは厳密に）平行に延び、使用中のユーザに見えている、スヌーカーキューまたはゴルフクラブヘッドを提供する。照準線は上昇段部または下降段部自体に付けられるまたは形成される必要はないことに留意されたい。
【００１５】
スヌーカーキューは、キュースポーツ、例えばスヌーカー、プールまたはビリヤードのプレーでの使用に適切な任意のキューを含み、この用語は概して長尺状かつ実質的に管状のデバイスであって、その直径が取っ手端部に向かってより大きくなり、反対側のボール
打撃端部に向かってより小さくなるデバイスを指す。ゴルフクラブヘッドは、シャフトへ取り付けられてゴルフクラブを形成し得る任意のヘッド部分を含み、かつ「ウッド」、「アイアン」または、好ましくは、「パター」ヘッドを含む。照準用補助具／本体は、キュー／ヘッドの、分離しておりかつ永久にまたは着脱可能に取り付けられた部分であってもよく、または、キュー／ヘッドに一体化されていてもよい。例えば、照準用本体は、単にキューまたはクラブヘッドの特定の領域であってもよい。着脱可能な取付手段は、例えば磁気または機械的手段（例えば、ストラップまたはクリップ）を含む。
【００１６】
図１〜４を参照すると、本発明において用いられるこの種類の照準用補助具は、例えば、照準用補助具の長さの大部分にわたって延在する第１の大きい方の部分（７）を有し、実質的に厚さが均一（例えば０．１〜５ｃｍ程度）である長尺状のボード（１）などの本体を含む。
【００１７】
照準用補助具の標的側の端部（８）は、ボード（１）の比較的薄い小さい方の部分（６）であり、適切には例えば、ボードの大きい方の部分（７）の厚さの半分未満であり、大きい方の部分（７）と比較してその差だけ下降段部（５）が付けられていてもよい。この手段によりボードの大きい方の部分の上面と小さい方の部分の上面との間に面内に不連続部が形成される。２つの表面間のこの垂直の差異が、任意の視差の視覚化の手段を提供する。段部は厳密に垂直である必要はないことに留意されたい。
【００１８】
照準線（４）は照準用補助具に付けられるか他の方法で形成され、ボード（１）の長さに沿って延在し、好ましくは照準線に実質的に垂直となる平面不連続部の線を真っ直ぐに横切る。
【００１９】
そのような照準用補助具の独立型使用において、目的は照準線（４）が平面不連続部の箇所で中断されないスタンスを得ることであることに留意されたい。視差が存在する場合、照準線の、照準用補助具の小さい方の、標的側の部分（６）での部分は、照準線（４）の、照準用補助具の大きい方の部分（７）での部分に対して横方向にオフセットされる。ユーザはこのとき、オフセットがもはや現れなくなるように、このオフセットを補正するために調節を行う。
【００２０】
照準線（４）は、照準用補助具の全長にわたって連続的に延在するとして示されているが、これは不可欠ではなく、その理由は、照準線を、知覚されて補正される任意のオフセットを可能にするためだけに十分な、平面不連続部（下降段部（５））の線を横断するだけの、短い印に置き換えてもよいからである。さらに、それぞれの大きい方の部分（７）および小さい方の部分（６）において実質的に厚さが均一であるとして示されているが、これは不可欠ではなく、その理由は、本原理が視線に沿った垂直差に主として依拠しているためである。したがって、大きい方の部分（７）は、例えば不連続部線に上方へ傾斜していてもよく、不連続部は照準用補助具の標的側の端部へ到達するために、下降段部（５）ではなく上昇段部を含んでもよい。
【００２１】
本発明で用いられる照準用補助具／本体は、好ましくは長尺状であり、照準用補助具、本体および／または線は、好ましくは長さが５０ｃｍ以下、好ましくは長さが３０ｃｍ以下、最も好ましくは長さが１０ｃｍ以下である。上昇段部または下降段部は、適切には高さが少なくとも０．１ｃｍ、例えば、高さが少なくとも０．５ｃｍまたは１ｃｍ、および好ましくは高さが１０ｃｍ以下（より好ましくは高さが５ｃｍ以下）である。好ましくは、照準線は、上昇段部または下降段部の前でおよび／またはそれを超えて少なくとも１ｃｍ、好ましくは少なくとも３ｃｍ延在する。好ましくは、照準線は少なくとも幅が１ｍｍ、好ましくは幅が２ｃｍ以下である。
【００２２】
スヌーカーキュー
図５は、本発明のスヌーカーキュー（９）の実施形態の平面図を示し、照準線（４）は、ここでは例えば、線（１０）であってその先端（ボール打撃端部）（１１）の中心からそのベース（取っ手端部）（１２）の中心へ延在する線（１０）により画定され、キューの長さと平行している。図６は、同じキューの側面図を示し、照準用本体／線は、キューのプロファイルに没入しているが、（キューの長さの表面上での、没入したまたは他の方法による、任意の配置の場合と同様に）使用中のユーザには依然として見えている。図７は、ユーザによるオフライン照準と共に、キューの斜視図を示している。別の実施形態において、照準用補助具の小さい方の部分（６）のみがキューのプロファイルに没入しており、大きい方の部分（７）の平面は例えば、キューのプロファイルに沿っていることに留意されたい。
【００２３】
照準用補助具／本体はキュー内の凹部に永久にまたは着脱可能に取り付けられ得る分離した部分として示されている。しかしながら、実施形態のキューは、従来のキューを彫る／それに印を付けることにより平易に形成され得る（この場合、照準用本体は単にキューの特定の領域になる）ことに留意されたい。照準用補助具／本体／線は、好ましくはキューの長さの中央３分の１内に位置することにも留意されたい。
【００２４】
本発明者は、例えばスヌーカー、プールまたはビリヤードなどのキュースポーツにおいてショットまたはストローク（好ましくは上記同じキューでプレーされる上記ショット／ストローク）を照準する（または「ねらいをつける」）ための本発明によるスヌーカーキューの使用を提供する。ユーザは、自身のプレースタンスをとる前、間および／または後にその照準線を見ることにより、本発明のキューを用いてショット／ストロークを照準することができる。このような方法で、本発明のキューにより、リアルタイムで、すなわち、スヌーカーのゲームにおけるショットの準備および／またはそのプレーの間に、ユーザがショットを照準する（かつ例えば、いずれの視差も修正または除去する）ことができるようになる。そのような使用において、例えば、ユーザは、ユーザから標的の方向にキューを整列させ、標的を照準するよう試みながら照準線を見て、段部の後の照準線の部分に対する段部の前の照準線の部分の任意のオフセットから、ユーザが標的を照準しようとする試みが誤っているか否かおよびどの程度誤っているかを判断する。ユーザは、このとき、場合に応じて、キューの整列を調節していずれの誤りも除去する（すなわちオフセットが見られなくなるまで）こと、またはキューの整列を維持して誤りを除去することができる。
【００２５】
ゴルフクラブ
図８および９は、本発明のゴルフクラブヘッドの実施形態、パターヘッド（１３）の平面図および正面（のそれぞれ）を示し、照準線（４）がパターヘッドのフェイス（１４）に平行に、具体的にはパターヘッドのフェイス（１４）に沿って延びる。（１５）は、クラブのシャフトの取付箇所の位置に印を付ける。使用中に見ることができるように、照準線は通常は（クラブヘッドのフェイス、バックまたはベースではなく）パターヘッドの「上部」（使用中）表面（１６）になければならない。照準線はパターヘッドの、例えばヒールにではなくトーに（好ましいように）示される。ここで、照準用補助具の標的側の端部（８）は、使用中のユーザから離れる方向を向いている（かつクラブフェイスが正しく整列させられたとき、標的に垂直な線上にある）。照準線（４）をパターフェイスに沿って位置づけるために、段差が付けられた突出部（１７）がトーに形成される（突出部は、パターフェイスから離れる方向に、ゴルフボールがプレーされる方向に向かって突出する）。同様の段差が付けられた突出部（１８）が（好ましいように）ヒールに置かれてクラブヘッドの釣り合いをとる。図１０は、パターヘッドの側面斜視図を示し、結合された照準線と共に、四角形のパターフェイスを示している。さらに示されているのは、パターヘッドに取り付けられたクラブシャフトである。
【００２６】
本発明者は、ゴルフでのショット（好ましくは上記同じゴルフクラブ／ヘッドでプレーされる上記ショット）のための準備をするための本発明によるゴルフクラブヘッドまたはゴルフクラブの使用を提供する。特に、上記準備は、クラブヘッドのフェイスがショットがプレーされる線（例えば、標的への線）に対して直角で保持されることを確実にするためのものである。ユーザは、本発明のクラブ／ヘッドを用いて、自身のプレースタンスをとる前、間および／または後にその照準線を見ることにより、クラブヘッドフェイスを「スクエアにする」ことができる。このような方法で、本発明のクラブ／ヘッドにより、リアルタイムで、すなわち、ゴルフのゲームにおけるショットをプレーする直前に、ユーザがショットを正しく調整する（かつ例えば、視差を修正する）ことができるようになる。視差の修正（オフセット）は実質的に上述のとおりである。クラブヘッドを「スクエアにする」ために本発明のクラブ／ヘッドを用いることにより、ユーザはまた、かつ同時に、スタンスおいて正しいボール位置（例えば、ユーザの視線上のボール位置）を確保することができることに留意されたい。
【図１】
0006543866.tif 000002
【図２】
0006543866.tif 000003
【図３】
0006543866.tif 000004
【図４】
0006543866.tif 000005
【図５】
0006543866.tif 000006
【図６】
0006543866.tif 000007
【図７】
0006543866.tif 000008
【図８】
0006543866.tif 000009
【図９】
0006543866.tif 000010
【図１０】
0006543866.tif 000011